(57)【要約】  規則生成装置（４０）は、複数の空調機（３０）を管理するコントローラ（１０）から、各空調機（３０）の周囲の環境を示す環境情報と、各空調機（３０）の運転状態を示す運転情報と、複数の空調機（３０）の消費電力を示す電力情報とを取得する。そして、規則生成装置（４０）は、取得したこれらの情報から、周囲の環境に応じてなされた、消費電力の削減に寄与する省エネ操作の事例情報を収集する。そして、規則生成装置（４０）は、収集された事例情報から、空調機（３０）に適用して省エネを促進するための運転規則を生成する。
2017013740.tif 000002
【特許請求の範囲】
【請求項１】
複数の空調機を管理するコントローラと通信する規則生成装置であって、
前記コントローラから、各空調機の周囲の環境を示す環境情報と、各空調機の運転状態を示す運転情報と、前記複数の空調機の消費電力を示す電力情報と、を取得する情報取得手段と、
前記環境情報、前記運転情報、及び前記電力情報に基づいて、前記周囲の環境に応じて少なくとも１台の空調機についてなされた、前記消費電力の削減に寄与するユーザの省エネ操作を検出する検出手段と、
前記検出手段が省エネ操作を検出した場合に、前記環境情報と、前記省エネ操作を示す省エネ操作情報とを対応付けた事例情報を収集する事例収集手段と、
前記事例収集手段が収集した前記事例情報に基づいて、少なくとも１台の空調機に適用して省エネを促進するための運転規則を生成する規則生成手段と、
を備える規則生成装置。
【請求項２】
前期規則生成手段が生成した運転規則を用いて、各空調機のスケジュール情報を更新する運転規則適用手段を備える、
請求項１に記載の規則生成装置。
【請求項３】
前記規則生成手段は、直近に収集した前記事例情報に基づいて、前記運転規則を生成する、
請求項１又は２に記載の規則生成装置。
【請求項４】
前記規則生成手段は、収集した複数の前記事例情報のうち、閾値以上存在する同じ内容の事例情報を前記運転規則として採用する、
請求項１から３の何れか１項に記載の規則生成装置。
【請求項５】
前記規則生成手段は、時間帯毎に収集された事例情報に基づいて、時間帯別の運転規則を生成する、
請求項１から４の何れか１項に記載の規則生成装置。
【請求項６】
前記検出手段は、消費電力が削減された際に操作された空調機の周囲の環境が、他の空調機の周囲の環境と異なる場合に、該操作を前記省エネ操作として検出する、
請求項１から５の何れか１項に記載の規則生成装置。
【請求項７】
前記情報取得手段は、それぞれが異なる複数の空調機を管理する複数のコントローラから前記環境情報、前記運転情報、及び前記電力情報を取得し、
コントローラ毎に、前記検出手段が該コントローラから取得した情報に基づいて前記省エネ操作を検出し、前記事例収集手段が前記事例情報を収集する、
請求項１から６の何れか１項に記載の規則生成装置。
【請求項８】
複数の空調機それぞれの周囲の環境を示す環境情報と運転状態を示す運転情報、及び前記複数の空調機の消費電力を示す電力情報を取得する情報取得ステップと、
前記情報取得ステップで取得した情報に基づいて、周囲の環境に応じて少なくとも１台の空調機についてなされた、前記複数の空調機の消費電力の削減に寄与するユーザの省エネ操作を検出する検出ステップと、
前記検出ステップで省エネ操作を検出した場合に、前記周囲の環境を示す情報と、前記省エネ操作を示す省エネ操作情報とを対応付けた事例情報を収集する事例収集ステップと、
前記事例収集ステップで収集した前記事例情報に基づいて、空調機に適用して省エネを促進するための運転規則を生成する規則生成ステップと、
を備える規則生成方法。
【請求項９】
複数の空調機を管理するコントローラと通信するコンピュータを、
前記コントローラから、各空調機の周囲の環境を示す環境情報と、各空調機の運転状態を示す運転情報と、前記複数の空調機の消費電力を示す電力情報と、を取得する情報取得手段、
前記環境情報、前記運転情報、及び前記電力情報に基づいて、前記周囲の環境に応じて少なくとも１台の空調機についてなされた、前記消費電力の削減に寄与するユーザの省エネ操作を検出する検出手段、
前記検出手段が省エネ操作を検出した場合に、前記環境情報と、前記省エネ操作を示す省エネ操作情報とを対応付けた事例情報を収集する事例収集手段、
前記事例収集手段が収集した前記事例情報に基づいて、少なくとも１台の空調機に適用して省エネを促進するための運転規則を生成する規則生成手段、
として機能させるプログラム。
【発明の詳細な説明】
【技術分野】
【０００１】
本発明は、規則生成装置、規則生成方法、及びプログラムに関する。
【背景技術】
【０００２】
空調機を省エネ制御する技術が知られている。例えば、特許文献１には、空調機の制御を行うコントローラに、空調機を運転させるための省エネスケジュールを提供する遠隔監視装置について記載されている。具体的には、この遠隔監視装置は、前日の空調機の運転情報と当日の気象情報のデータとから、省エネ度合いの異なる当日の空調機の省エネスケジュールを複数作成して提供する。
【先行技術文献】
【特許文献】
【０００３】
【特許文献１】特許第５１９５８１７号公報
【発明の概要】
【発明が解決しようとする課題】
【０００４】
特許文献１に記載の発明では、１台の空調機の運転情報から、その空調機に適用する省エネスケジュールを作成しているだけであり、他の建物に設置されている空調機の運転情報等は考慮されない。そのため、他の空調機でなされた省エネ運転の事例を、作成する省エネスケジュールに反映することはできない。そのため、空調機を適切に省エネ制御できているとはいえなかった。【０００５】
本発明は上記実情に鑑みてなされたものであり、他の空調機から取得した情報を用いて適切に空調機を省エネ制御することができる規則生成装置等を提供することを目的とする。
【課題を解決するための手段】
【０００６】
上記目的を達成するため、本発明に係る規則生成装置は、
複数の空調機を管理するコントローラと通信する規則生成装置であって、
前記コントローラから、各空調機の周囲の環境を示す環境情報と、各空調機の運転状態を示す運転情報と、前記複数の空調機の消費電力を示す電力情報と、を取得する情報取得手段と、
前記環境情報、前記運転情報、及び前記電力情報に基づいて、前記周囲の環境に応じて少なくとも１台の空調機についてなされた、前記消費電力の削減に寄与するユーザの省エネ操作を検出する検出手段と、
前記検出手段が省エネ操作を検出した場合に、前記環境情報と、前記省エネ操作を示す省エネ操作情報とを対応付けた事例情報を収集する事例収集手段と、
前記事例収集手段が収集した前記事例情報に基づいて、少なくとも１台の空調機に適用して省エネを促進するための運転規則を生成する規則生成手段と、
を備える。
【発明の効果】
【０００７】
本発明によれば、複数の空調機を管理するコントローラから省エネ操作の事例情報を収集し、収集した事例情報から運転規則を作成する。従って、他の空調機の事例も考慮されて運転規則が作成されるため、適切に空調機を省エネ制御することができる。
【図面の簡単な説明】
【０００８】
【図１】本発明の実施形態に係る空調制御システムの全体構成を示す図である。
【図２】コントローラの構成を示すブロック図である。
【図３】規則生成装置の構成を示すブロック図である。
【図４】規則生成装置の機能ブロック図である。
【図５】事例収集処理の手順を示すフローチャートである。
【図６】空調機群が設置された空調対象空間の平面図である。
【図７】空調機群に関する情報の例を示す図である。
【図８】空調機群に関する情報の例を示す図である。
【図９】規則作成処理の手順を示すフローチャートである。
【図１０】規則適用処理の手順を示すフローチャートである。
【図１１】スケジュール情報と環境情報との例を示す図である。
【図１２】スケジュール情報と環境情報との例を示す図である。
【発明を実施するための形態】
【０００９】
以下、本発明の各実施形態について、図面を参照しながら詳細に説明する。なお、図中同一又は相当部分には同一符号を付す。
【００１０】
本発明の実施形態に係る空調制御システム１について説明する。空調制御システム１は、図１に示すように、異なる空調対象空間（例えば、建物のフロア）にそれぞれ設置されたコントローラ１０、電力計測装置２０、及び複数の空調機３０と、規則生成装置４０と、を備える。なお、各コントローラ１０は、専用通信線Ｎ１により、同じ空調対象空間内の複数の空調機３０及び電力計測装置２０と通信可能に接続されている。また、各コントローラ１０は、インターネットＮ２により、規則生成装置４０と通信可能に接続されている。
【００１１】
複数の空調機３０は、空調対象空間内の空調（冷房、暖房、加湿、除湿）を行う。なお、以下の説明では、空調対象空間内に設置されている複数の空調機３０をまとめて空調機群５０とも表記する。各空調機３０には、カメラや人感センサ等が内蔵されており、周囲の人数を検知する人数検知機能を有する。各空調機３０は、定期的（例えば、１時間毎）に、現在の運転状態（運転モード、設定温度等）を示す運転情報と、人数検知機能で検知した人数を示す人数情報とをコントローラ１０に送信する。
【００１２】
電力計測装置２０は、電力計等を備え、定期的（例えば、１時間毎）に空調対象空間内の空調機群５０全体の消費電力を計測し、その計測値を示す電力情報をコントローラ１０に送信する。
【００１３】
なお、空調機３０と電力計測装置２０とは同期がとれており、同じタイミングで、運転情報、人数情報、及び電力情報をコントローラ１０に送信する。
【００１４】
コントローラ１０は、各空調機３０の状態を監視したり運転を制御する。コントローラ１０は、図２に示すように、内部通信部１１と、外部通信部１２と、記憶部１３と、制御部１４と、を備える。
【００１５】
内部通信部１１は、コントローラ１０を専用通信線Ｎ１に接続するための通信インタフェースである。外部通信部１２は、コントローラ１０をインターネットＮ２に接続するための通信インタフェースである。
【００１６】
記憶部１３は、いわゆる二次記憶装置（補助記憶装置）としての役割を担い、例えば、フラッシュメモリ等の読み書き可能な不揮発性の半導体メモリ等で構成される。また、記憶部１３は、電力ＤＢ（データベース）１３１と、空調機ＤＢ１３２と、環境ＤＢ１３３と、スケジュールＤＢ１３４と、を記憶する。
【００１７】
電力ＤＢ１３１には、電力計測装置２０から受信した空調機群５０の消費電力を示す電力情報が格納される。なお、電力計測装置２０から電力情報を受信する度に、電力ＤＢ１３１に格納されている電力情報は更新される（上書きされる）。
【００１８】
空調機ＤＢ１３２には、各空調機３０の運転状態を示す運転情報が格納される。なお、各空調機３０から電力情報を受信する度に、空調機ＤＢ１３２に格納されている運転情報は更新される（上書きされる）。
【００１９】
環境ＤＢ１３３には、各空調機３０の周囲の環境を示す情報が格納される。具体的には、環境ＤＢ１３３には、各空調機３０から受信した人数情報と、各空調機３０の設置場所の特徴を示す場所情報と、が格納される。例えば、場所情報は、空調機３０が窓や入口に近いかどうかを示す情報である。なお、各空調機３０から人数情報を受信する度に、環境ＤＢ１３３に格納されている人数情報は更新される（上書きされる）。また、場所情報は、各空調機３０が空調対象空間内に設置された際に、管理者によって定義され、環境ＤＢ１３３に格納される。
【００２０】
スケジュールＤＢ１３４には、規則生成装置４０から受信した各空調機３０の運転のスケジュールを示すスケジュール情報が格納される。具体的には、スケジュール情報は、空調機３０の運転開始予定時間、運転停止予定時間、運転モード、設定温度、周囲の人数等を項目として含む。
【００２１】
制御部１４は、ＣＰＵ（Central Processing Unit）、ＲＯＭ（Read Only Memory）、ＲＡＭ（Random Access Memory）等を備え、コントローラ１０の各部を制御する。例えば、制御部１４は、空調機３０から定期的に受信した運転情報と人数情報とを、それぞれ、空調機ＤＢ１３２と環境ＤＢ１３３とに格納する。また、制御部は１４、電力計測装置２０から定期的に受信した電力情報を電力ＤＢ１３１に格納する。また、制御部１４は、規則生成装置４０からの要求に従い、電力ＤＢ１３１に格納されている電力情報と、環境ＤＢ１３３に格納されている場所情報及び人数情報と、空調機ＤＢ１３２に格納されている運転情報と、を規則生成装置４０に送信する。また、制御部１４は、スケジュールＤＢ１３４に格納されているスケジュール情報に従って、空調機群５０の運転を制御する。
【００２２】
続いて、規則生成装置４０について説明する。規則生成装置４０は、空調機３０の省エネを促進するための運転規則を生成し、生成した運転規則を適用したスケジュール情報を各コントローラ１０に送信する。規則生成装置４０は、図３に示すように、通信部４１と、記憶部４２と、制御部４３と、を備える。
【００２３】
通信部４１は、規則生成装置４０をインターネットＮ２に接続するための通信インタフェースである。
【００２４】
記憶部４２は、いわゆる二次記憶装置（補助記憶装置）としての役割を担い、例えば、フラッシュメモリ等の読み書き可能な不揮発性の半導体メモリ等で構成され、種々の情報を記憶する。
【００２５】
制御部４３は、ＣＰＵ、ＲＯＭ、ＲＡＭ等を備え、規則生成装置４０の各部を制御する。
【００２６】
規則生成装置４０は、機能的には、図４に示すように、情報取得部４０１と、情報格納部４０２と、検出部４０３と、事例収集部４０４と、事例格納部４０５と、規則生成部４０６と、規則格納部４０７、スケジュール格納部４０８と、規則適用部４０９と、を備える。なお、これらの各部は、図３に示した制御部４３、通信部４１、記憶部４２が協同することで実現される。
【００２７】
情報取得部４０１は、各コントローラ１０から各種の情報を取得して、情報格納部４０２に蓄積する。例えば、情報取得部４０１は、初回の起動時に、各コントローラ１０の環境ＤＢ１３３から、各空調機３０の場所情報を取得して、情報格納部４０２に格納する。また、情報取得部４０１は、各コントローラ１０から、定期的（１時間毎）に、電力情報と、各空調機３０の運転情報及び人数情報と、を取得して情報格納部４０２に蓄積する。
【００２８】
検出部４０３は、情報格納部４０２に格納されている各種の情報を参照して、空調機群５０の消費電力を削減するために、周囲の環境に応じてなされた空調機３０の操作（省エネ操作）を検出する。事例収集部４０４は、検出部４０３が検出した省エネ操作を示す情報（省エネ操作情報）を周囲の環境を示す情報とともに事例情報として、事例格納部４０５に蓄積する。
【００２９】
規則生成部４０６は、事例格納部４０５に格納されている事例情報から、空調機３０に適用して省エネを促進するための運転規則を生成し、規則格納部４０７に蓄積する。
【００３０】
スケジュール格納部４０８は、空調機３０毎の運転スケジュールを示すスケジュール情報が格納される。規則適用部４０９は、規則格納部４０７に格納されている運転規則を用いて、スケジュール格納部４０８に格納されている各空調機３０のスケジュール情報を変更し、変更後のスケジュール情報を、対応する各コントローラ１０に送信する。
【００３１】
続いて、規則生成装置４０の動作について説明する。
【００３２】
始めに、規則生成装置４０で、空調機群５０毎に、消費電力の削減に寄与する操作の事例を収集する事例収集処理の動作について説明する。予め定めた時間毎（例えば、１時間毎）に、規則生成装置４０の制御部４３は、図５のフローチャートに示す事例収集処理を実行する。
【００３３】
まず、制御部４３（情報取得部４０１）は、各コントローラ１０から、コントローラ１０が保持している空調機群５０に関する最新の各種情報を取得し、情報格納部４０２に記憶する（ステップＳ１０１）。具体的には、制御部４３は、インターネットＮ２を介して、各コントローラ１０に情報取得要求を送信する。情報取得要求を受信した各コントローラ１０の制御部１４は、電力ＤＢ１３１から電力情報、空調機ＤＢ１３２から各空調機３０の運転情報、環境ＤＢ１３３から各空調機３０の人数情報を取得して、規則生成装置４０に送信する。
【００３４】
続いて、制御部４３（検出部４０３）は、空調機群５０を１つ選択する（ステップＳ１０２）。以下の説明では、ステップＳ１０２で選択した空調機群５０を選択空調機群５０とも表記する。
【００３５】
続いて、制御部４３（検出部４０３）は、情報格納部４０２から選択空調機群５０の最新の電力情報を取得し、その電力情報が示す消費電力が、前回取得した選択空調機群５０の電力情報が示す消費電力から、閾値以上（例えば、１０パーセント以上）削減されているか否かを判別する（ステップＳ１０３）。
【００３６】
削減されていないと判別した場合（ステップＳ１０３；Ｎｏ）、この選択空調機群５０では、消費電力を削減する操作はなされていないこととなり、処理はステップＳ１０７に移る。
【００３７】
一方、削減されていると判別した場合（ステップＳ１０３；Ｙｅｓ）、制御部４３（事例収集部４０４）は、選択空調機群５０を構成する各空調機３０の最新の運転情報と前回取得した運転情報とを情報格納部４０２から取得して比較し、運転情報が変更された（即ち、操作された）空調機３０を特定する（ステップＳ１０４）。なお、以下の説明では、ステップＳ１０４で特定した空調機３０を操作空調機３０とも表記する。
【００３８】
そして、制御部４３（事例収集部４０４）は、操作空調機３０の最新の環境情報を、選択空調機群５０を構成する他の空調機３０（即ち、操作されなかった空調機３０）の最新の環境情報と比較し、両者で違いが有るか否かを判別する（ステップＳ１０５）。なお、制御部４３は、環境情報のうち人数情報については、人数差が閾値（例えば２）以下の場合は、環境情報に違いは無いと判別してもよい。
【００３９】
環境情報に違いが無いと判別した場合（ステップＳ１０５；Ｎｏ）、ステップＳ１０７に処理は移る。一方、環境情報に違いが有ると判別した場合（ステップＳ１０５；Ｙｅｓ）、操作空調機３０でなされた操作は、その周囲の環境に応じて、省エネ目的を目的としてなされた操作（省エネ操作）となる。従って、制御部４３（事例収集部４０４）は、その省エネ操作を示す省エネ操作情報を、環境情報と対応付けて事例情報として事例格納部４０５に格納する（ステップＳ１０６）。
【００４０】
続いて、制御部４３（事例収集部４０４）は、ステップＳ１０２で全ての空調機群５０を選択したか否かを判別する（ステップＳ１０７）。選択していない場合（ステップＳ１０７；Ｎｏ）、処理はステップＳ１０２に移り、未選択の空調機群５０を選択して、事例情報を収集する処理を繰り返す。全ての空調機群５０を選択した場合、事例収集処理は終了する。
【００４１】
続いて、上述した事例収集処理について、例を挙げて説明する。図６は、９台の空調機３０「Ａ」〜「Ｉ」からなる空調機群５０が配置された空調対象空間の平面図を示す。
【００４２】
また、図７は、ステップＳ１０１で最新の情報を取得する直前（省エネ操作前）の、空調機３０「Ａ」〜「Ｉ」からなる空調機群５０の電力情報と、各空調機３０「Ａ」〜「Ｉ」の運転情報及び周囲の環境情報と、を示す図である。なお、環境情報のうち、窓フラグと出入口フラグは、それぞれ、空調機３０が窓に近いか、出入り口に近いかを示す情報であり、場所情報で設定されている。なお、窓フラグ「０」、出入口フラグ「０」は、窓、出入口に空調機３０が近くないことを示す。窓フラグ「１」、出入口フラグ「１」は、窓、出入口に空調機３０が近くにあることを示す。
【００４３】
また、図８は、ステップＳ１０１で取得した空調機３０「Ａ」〜「Ｉ」からなる空調機群５０の最新の電力情報と、各空調機３０「Ａ」〜「Ｉ」の最新の運転情報及び周囲の環境情報と、を示す図である。
【００４４】
ここで、この９台の空調機３０「Ａ」〜「Ｉ」からなる空調機群５０を、事例収集処理のステップＳ１０２で選択した場合を考える。この場合、図８に示す最新の電力情報が示す消費電力は、図７に示す前回の電力情報が示す消費電力から削減されているため、ステップＳ１０３では「Ｙｅｓ」と判別される。
【００４５】
また、図７と図８とで運転状態を比較すると、６台の空調機「Ｄ」〜「Ｉ」は運転状態が前回から変更されているので、ステップＳ１０４で操作空調機３０であると特定される。
【００４６】
そして、操作空調機３０「Ｄ」〜「Ｉ」とそれ以外の空調機３０「Ａ」〜「Ｂ」とでは、図８に示す環境情報に違いが有るため（ステップＳ１０５；Ｙｅｓ）、事例情報が収集される（ステップＳ１０６）。具体的には、設定温度を１℃下げる操作がなされた空調機３０「Ｄ」〜「Ｆ」、「Ｈ」と、操作空調機３０でない空調機３０「Ａ」〜「Ｃ」とを比較すると、空調機３０「Ｄ」〜「Ｆ」、「Ｈ」では窓フラグが「０」であるという違いがあるため、「窓に近くない空調機３０の暖房設定温度を１℃下げる」ことを示す事例情報が収集される。
【００４７】
また、運転停止の操作がなされた空調機３０「Ｇ」と、操作空調機３０でない空調機３０「Ａ」〜「Ｃ」とを比較すると、空調機３０「Ｇ」では周囲の人数が「１」であるという違いがあるため、「周囲の人数が１人の空調機３０の運転を停止する」ことを示す事例情報が収集される。
【００４８】
また、設定温度を２℃下げる操作がなされた空調機３０「Ｉ」と、操作空調機３０でない空調機３０「Ａ」〜「Ｃ」とを比較すると、空調機３０「Ｉ」では出入口フラグ「１」であるという違いがあるため、「出入口に近い空調機３０の設定温度を１℃下げる」ことを示す事例情報が収集される。
【００４９】
このように、事例収集処理により、異なる空調対象空間に設置されている空調機群５０それぞれについて、周囲の環境に応じてなされた、消費電力の削減に寄与する省エネ操作の事例が収集される。
【００５０】
続いて、事例収集処理で収集した事例情報から、省エネを促進する空調機３０の運転規則を生成する規則生成処理について説明する。予め定めた時間毎（例えば、日付が変わるタイミング）に、規則生成装置４０の制御部４３（規則生成部４０６）は、図９のフローチャートに示す規則生成処理を実行する。
【００５１】
まず、制御部４３は、規則格納部４０７に格納されている規則情報を消去する（ステップＳ２０１）。
【００５２】
続いて、制御部４３は、事例格納部４０５から、最近（例えば、直近２週間以内）に収集された事例情報を抽出する（ステップＳ２０２）。
【００５３】
続いて、制御部４３は、ステップＳ２０２で抽出した事例情報の中から、閾値以上（例えば１０以上）存在する同じ内容の事例情報を特定する（ステップＳ２０３）。なお、制御部４３は、抽出した事例情報の中から、予め定めた割合以上（例えば１０パーセント以上）存在する同じ内容の事例情報を特定してもよい。
【００５４】
続いて、制御部４３は、特定した事例情報を、省エネを促進する空調機３０の運転規則として、規則格納部４０７に格納する（ステップＳ２０４）。以上で規則作成処理は終了する。
【００５５】
続いて、作成した運転規則を空調機３０の運転スケジュールに適用して送信する規則適用処理について説明する。上述した規則作成処理が完了に応答して、規則生成装置４０の制御部４３は、図１０のフローチャートに示す規則適用処理を実行する。
【００５６】
まず、制御部４３（規則適用部４０９）は、空調機群５０を１つ選択する（ステップＳ３０１）。そして、制御部４３は、規則格納部４０７に格納されている運転規則に基づいて、選択した空調機群５０を構成する各空調機３０のスケジュールを変更する（ステップＳ３０２）。
【００５７】
そして、制御部４３は、変更した空調機群５０のスケジュール情報を、この空調機群５０を管理するコントローラ１０に送信する（ステップＳ３０３）。コントローラ１０の制御部１４は、受信したスケジュール情報をスケジュールＤＢ１３４に格納し、以後はこのスケジュール情報に基づいて、空調機群５０の運転を制御する。
【００５８】
続いて、制御部４３は、ステップＳ３０１で全ての空調機群５０を選択したか否かを判別する（ステップＳ３０４）。選択していない場合（ステップＳ３０４；Ｎｏ）、処理はステップＳ３０１に移り、未選択の空調機群５０を選択して、運転規則を用いてスケジュール情報を変更してコントローラ１０に送信する処理を繰り返す。全ての空調機群５０を選択した場合、規則適用処理は終了する。
【００５９】
続いて、規則適用処理でスケジュールが変更される処理（ステップＳ３０２）の具体例について説明する。図１１は、４台の空調機３０「Ｊ」〜「Ｍ」からなる空調機群５０の９時から１８時の運転スケジュールを示すスケジュール情報と、周囲の環境情報（窓フラグ、出入口フラグ）とを示す図である。
【００６０】
例えば、図１１に示すスケジュール情報に、「窓に近くない空調機３０の暖房設定温度を１℃下げる」運転規則を適用すると、図１２に示すように、窓フラグ「０」の空調機３０「Ｋ」の設定温度は、「２２℃」から「２１℃」に変更される。
【００６１】
また、例えば、図１１に示すスケジュール情報に、「出入口に近い空調機３０の暖房設定温度を１℃下げる」運転規則を適用すると、図１２に示すように、出入口フラグ「１」の空調機３０「Ｌ」の設定温度は、「２２℃」から「２１℃」に変更される。
【００６２】
また、例えば、図１１に示すスケジュール情報に、「周囲の人数が１人の空調機３０の運転を停止する」運転規則を適用すると、図１２に示すように、人数「１」の空調機３０「Ｍ」の運転は停止される。
【００６３】
このように、本実施形態に係る規則生成装置４０では、コントローラ１０から取得した各空調機３０に関する情報から周囲の環境に応じてなされた省エネ操作が検出され、その環境とともに事例情報として収集される。そして、収集された事例情報から、省エネを促進するための運転規則が作成される。従って、複数の空調機３０から、広く事例情報を収集して運転規則を作成するため、従来よりも空調機３０を適切に省エネ制御することが可能となる。
【００６４】
また、本実施形態によれば、作成した運転規則を用いて、各空調機３０のスケジュール情報が更新されるため、更新されたスケジュール情報を用いて、各空調機３０を適切に省エネ制御することが可能となる。
【００６５】
また、本実施形態によれば、直近に収集した事例情報から運転規則を作成するため、現在の時期に応じた適切な運転規則を作成することができる。
【００６６】
また、本実施形態によれば、省エネの事例情報をすぐには運転規則としては採用せずに、閾値以上の同内容の事例情報を収集されている場合に運転規則として採用するため、普遍的な運転規則を作成することが可能となる。
【００６７】
また、本実施形態によれば、それぞれが異なる空調機群５０を管理する複数のコントローラ１０毎に、取得した情報に基づいて省エネ操作を検出して、事例情報を収集する。そのため、様々な使われ方をしている空調機３０から事例情報を広く収集することができ、より適切な運転規則を作成することが可能となる。
【００６８】
（変形例）
なお、本発明は、上記実施形態に限定されず、本発明の要旨を逸脱しない範囲での種々の変更は勿論可能である。
【００６９】
例えば、時間帯毎に収集された事例情報から、時間帯別に運転規則を生成してもよい。このように時間帯別に運転規則を作成した場合、対応する時間帯のスケジュール情報に適宜運転規則を適用することで、より効率よく省エネ制御が可能となる。
【００７０】
また、上記実施形態では、規則生成装置４０が、作成した運転規則を用いて空調機３０のスケジュールデータを変更して、コントローラ１０に送信したが、作成した運転規則を空調機３０の制御に適用する手法は種々のものが採用可能である。例えば、規則生成装置４０は、作成した運転規則を直接コントローラ１０に送信して、コントローラ１０が、受信した運転規則に基づいて、管理する各空調機３０の運転スケジュールを更新してもよい。また、「周囲の人数が１人の空調機３０の運転を停止する」運転規則を受信した場合、コントローラ１０の制御部１４は、各空調機３０の周囲の人数を逐次監視して、人数が１人になった場合に運転を停止さえるよう制御してもよい。
【００７１】
例えば、上記実施形態では、規則生成装置４０は複数のコントローラ１０に接続したが、１つのコントローラ１０のみに接続する規則生成装置４０についても、本発明は適用可能である。また、規則生成装置４０が収集した収集した事例情報を、全て運転規則として採用してもよい。
【００７２】
また、上記各実施形態において、規則生成装置４０がそれぞれ実行するプログラムを、既存のコンピュータ等に適用することで、当該コンピュータ等を本発明に係る規則生成装置４０として機能させることも可能である。
【００７３】
このようなプログラムの配布方法は任意であり、例えば、ＣＤ−ＲＯＭ（Compact Disk Read-Only Memory）、ＤＶＤ（Digital Versatile Disk）、ＭＯ（Magneto Optical Disk）、メモリカードなどのコンピュータ読み取り可能な記録媒体に格納して配布してもよいし、インターネットなどの通信ネットワークを介して配布してもよい。
【００７４】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、請求の範囲によって示される。そして、請求の範囲内及びそれと同等の発明の意義の範囲内で施される様々な変形が、本発明の範囲内とみなされる。
【産業上の利用可能性】
【００７５】
本発明は、ＨＥＭＳ（Home Energy Management System）などのシステムに好適に採用され得る。
【符号の説明】
【００７６】
１  空調制御システム、１０  コントローラ、２０  電力計測装置、３０  空調機、４０  規則生成装置、５０  空調機群、Ｎ１  専用通信線、Ｎ２  インターネット、１１  内部通信部、１２  外部通信部、１３，４２  記憶部、１４，４３  制御部、４１  通信部、４０１  情報取得部、４０２  情報格納部、４０３  検出部、４０４  事例収集部、４０５  事例格納部、４０６  規則生成部、４０７  規則格納部、４０８  スケジュール格納部、４０９  規則適用部
【図１】
2017013740.tif 000003
【図２】
2017013740.tif 000004
【図３】
2017013740.tif 000005
【図４】
2017013740.tif 000006
【図５】
2017013740.tif 000007
【図６】
2017013740.tif 000008
【図７】
2017013740.tif 000009
【図８】
2017013740.tif 000010
【図９】
2017013740.tif 000011
【図１０】
2017013740.tif 000012
【図１１】
2017013740.tif 000013
【図１２】
2017013740.tif 000014
【国際調査報告】
2017013740.tif 000015
2017013740.tif 000016